(57)【要約】  【課題】  複写、印刷又はファックス送信時に出力中止対象となる機密文書の作成及び取扱いの利便性を、高いセキュリティを維持しつつ、向上させることが可能な画像処理方法、画像処理装置及びコンピュータプログラムを提供する。  【解決手段】  画像処理装置１０は、機密部分が特定文字書式で記載された原稿を画像読取部１００で読取った場合、操作部１６０からパスワードなどの認証情報を受付け、受付けた認証情報と記憶部１７０に記憶されているユーザ情報とを制御部１２０で照合し、認証する。認証が失敗した場合、制御部１２０から文字制限部１１０に特定文字書式の出力中止指示が送られ、文字制限部１１０は、画像メモリ１８０から受取った画像データの特定文字書式部分を消去し、特定文字書式部分が消去された画像データを画像処理部１３０に送る。画像処理部１３０に送られた画像データは、画像形成部１４０に送られ、記録用紙に印刷される。【選択図】      図１
2005136818.tif 000002
【特許請求の範囲】
【請求項１】
書体又は装飾を含む文字書式が設定された文字を有する画像データと該画像データの出力処理要求とを受付け、受付けた前記画像データの出力処理を行う画像処理装置を用いた画像処理方法において、
受付けた画像データの出力処理の要求元を認証するステップと、
認証が失敗した場合、受付けた画像データの特定文字書式部分を抽出するステップと
を有し、抽出した特定文字書式部分の出力を中止することを特徴とする画像処理方法。
【請求項２】
書体又は装飾を含む文字書式が設定された文字を有する画像データと該画像データの出力処理要求とを受付け、受付けた前記画像データの出力処理を行う画像処理装置を用いた画像処理方法において、
受付けた画像データの出力処理の要求元を認証するステップと、
受付けた画像データの特定文字書式部分を抽出するステップと
を有し、認証が失敗した場合、抽出した特定文字書式部分の出力を中止することを特徴とする画像処理方法。
【請求項３】
書体又は装飾を含む文字書式が設定された文字を有する画像データと該画像データの出力処理要求とを受付け、受付けた前記画像データの出力処理を行う画像処理装置において、
受付けた画像データの出力処理の要求元を認証する認証手段と、
該認証手段による認証が失敗した場合、受付けた画像データの特定文字書式部分を抽出する抽出手段と、
該抽出手段が抽出した特定文字書式部分の出力を中止する出力中止手段と
を備えることを特徴とする画像処理装置。
【請求項４】
書体又は装飾を含む文字書式が設定された文字を有する画像データと該画像データの出力処理要求とを受付け、受付けた前記画像データの出力処理を行う画像処理装置において、
受付けた画像データの出力処理の要求元を認証する認証手段と、
受付けた画像データの特定文字書式部分を抽出する抽出手段と、
認証手段による認証が失敗した場合、抽出手段が抽出した特定文字書式部分の出力を中止する出力中止手段と
を備えることを特徴とする画像処理装置。
【請求項５】
書体又は装飾を含む文字書式が設定された文字を有する画像データを受付け、受付けた画像データの出力処理を行う画像処理装置において、
受付けた画像データの特定文字書式部分の出力指示又は出力中止指示を受付ける指示受付手段と、
該指示受付手段が出力中止指示を受付けた場合、受付けた画像データの特定文字書式部分を抽出する抽出手段と、
該抽出手段が抽出した特定文字書式部分の出力を中止する出力中止手段と
を備えることを特徴とする画像処理装置。
【請求項６】
書体又は装飾を含む文字書式が設定された文字を有する画像データを受付け、受付けた画像データの出力処理を行う画像処理装置において、
受付けた画像データの特定文字書式部分の出力指示又は出力中止指示を受付ける指示受付手段と、
受付けた画像データの特定文字書式部分を抽出する抽出手段と、
指示受付手段が出力中止指示を受付けた場合、抽出手段が抽出した特定文字書式部分の出力を中止する出力中止手段と
を備えることを特徴とする画像処理装置。
【請求項７】
書体又は装飾を含む文字書式が設定された文字を有する画像データを受付け、受付けた画像データの送信を含む出力処理を行う画像処理装置において、
受付けた画像データの特定文字書式部分の送信が許可される送信先が記憶された送信先記憶部と、
受付けた画像データの送信先が送信先記憶部に記憶されていない場合、受付けた画像データの特定文字書式部分を抽出する抽出手段と、
該抽出手段が抽出した特定文字書式部分の送信を中止する出力中止手段と
を備えることを特徴とする画像処理装置。
【請求項８】
書体又は装飾を含む文字書式が設定された文字を有する画像データを受付け、受付けた画像データの送信を含む出力処理を行う画像処理装置において、
受付けた画像データの特定文字書式部分の送信が許可される送信先が記憶された送信先記憶部と、
受付けた画像データの特定文字書式部分を抽出する抽出手段と、
受付けた画像データの送信先が送信先記憶部に記憶されていない場合、抽出手段が抽出した特定文字書式部分の送信を中止する出力中止手段と
を備えることを特徴とする画像処理装置。
【請求項９】
受付けた画像データの特定文字書式に関する特定文字書式情報を取得する取得手段を備え、
前記抽出手段は、取得手段が取得した特定文字書式情報に基づいて、前記画像データの特定文字書式部分を抽出するように構成されていることを特徴とする請求項３乃至８の何れかひとつに記載の画像処理装置。
【請求項１０】
前記特定文字書式情報は、受付けた画像データに付加されており、
前記取得手段は、受付けた画像データに付加されている特定文字書式情報を抽出するように構成されていることを特徴とする請求項９記載の画像処理装置。
【請求項１１】
前記出力中止手段は、特定文字書式部分を所定記号に置換えるように構成されていることを特徴とする請求項３乃至１０の何れかひとつに記載の画像処理装置。
【請求項１２】
特定文字書式部分の出力を中止している場合、特定文字書式部分の出力中止を報知する報知手段を備えることを特徴とする請求項３乃至１０の何れかひとつに記載の画像処理装置。
【請求項１３】
コンピュータに、請求項３乃至８の何れかひとつに記載の画像処理装置へ画像データを送信させるコンピュータプログラムであって、
コンピュータに、特定文字書式に関する特定文字書式情報を受付けさせる手順と、
コンピュータに、前記画像処理装置へ送信する画像データの所定文字書式部分を前記特定文字書式に変換させる手順と
を含むことを特徴とするコンピュータプログラム。
【請求項１４】
コンピュータに、請求項９記載の画像処理装置へ画像データを送信させるコンピュータプログラムであって、
コンピュータに、送信する画像データの特定文字書式に関する特定文字書式情報を受付けさせる手順と、
コンピュータに、受付けた特定文字書式情報を前記画像処理装置へ送信させる手順と
を含むことを特徴とするコンピュータプログラム。
【請求項１５】
コンピュータに、請求項１０記載の画像処理装置へ画像データを送信させるコンピュータプログラムであって、
コンピュータに、送信する画像データの特定文字書式に関する特定文字書式情報を受付けさせる手順と、
コンピュータに、受付けた特定文字書式情報を前記画像データに付加させる手順と
を含むことを特徴とするコンピュータプログラム。
【発明の詳細な説明】
【技術分野】
【０００１】
本発明は、文書中の機密部分を不用意に複写、印刷又はファックス送信することを防止する画像処理方法、画像処理装置及びコンピュータプログラムに関する。
【背景技術】
【０００２】
複写、印刷又はファックス送信を行う画像処理装置の中には、機密性又は重要性の高い文書の複写，印刷又はファックス送信を制限する画像処理装置がある。例えば、機密文書又は重要文書に公開鍵を埋め込み、対応する秘密鍵がなければ複写できないようにすることで、不特定多数のユーザによる複写を防止する画像処理装置及び画像処理システムが提案されている（例えば、特許文献１参照）。また、アンダーラインの有無又は文書フォーマットに基づいて重要原稿であるか否かを判定し、重要原稿の場合は複写を禁止する複写機が提案されている（例えば、特許文献２参照）。
【特許文献１】特開平１１−２１５３５１号公報
【特許文献２】特開平７−３８７４７号公報
【発明の開示】
【発明が解決しようとする課題】
【０００３】
しかし、特許文献１の画像処理装置又は特許文献２の複写機では、文書全体の複写を制限するため、利便性が低下するという問題がある。例えば、機密性又は重要性の高い文書であっても、全てが機密又は重要というわけではなく、一部分のみが機密又は重要であることが多い。一部の機密箇所又は重要箇所のために、他の部分の複写等が制限され、利便性が低下してしまう。
【０００４】
この問題を解決する方法の１つとして、本願出願人により特願２００３−６５２１５号に提案された方法がある。この方法では、予め設定された特定色の部分を、認証結果などに応じて消去している。機密部分又は重要部分である特定色部分のみを消去することにより、例えば機密でない又は重要でない非特定色部分は通常通りに複写することが可能となる。
【０００５】
しかし、印刷、複写又はファクシミリ送信する原稿が常にカラー原稿であるとは限らず、白黒原稿を印刷、複写又はファクシミリ送信する場合も多い。白黒原稿の場合は、黒色しか使用していないため、上述した特定色部分の消去は行えない。
【０００６】
本発明は、上記問題点に鑑みてなされたものであり、例えば太字又はアンダーラインなどの特定文字書式を認証又は指示などに応じて消去することにより、モノクロ環境において、機密文書又は重要文書の作成及び出力の利便性を、高いセキュリティを維持しつつ、向上させることが可能な画像処理方法、画像処理装置及びコンピュータプログラムを提供することを目的とする。
【０００７】
また、本発明は、特定文字書式に関する特定文字書式情報を取得することにより、画像データ毎に特定文字書式を変更することが可能となり、機密部分又は重要部分に使用する文字書式の自由度を高めた画像処理装置を提供することを他の目的とする。
【０００８】
また、本発明は、機密部分又は重要部分（特定文字書式部分）を故意に出力しなかったことをユーザに明確に示すことが可能な画像処理装置を提供することを他の目的とする。
【０００９】
また、本発明は、前記画像処理装置へ送信する画像データの所定文字書式部分を特定文字書式に変換することにより、機密部分又は重要部分に使用する文字書式の自由度を高めたコンピュータプログラムを提供することを他の目的とする。
【００１０】
また、本発明は、画像データと特定文字書式に関する特定文字書式情報とを前記画像処理装置に送信することにより、画像データ毎に特定文字書式を指定することが可能となり、機密部分又は重要部分に使用する文字書式の自由度を高めたコンピュータプログラムを提供することを他の目的とする。
【課題を解決するための手段】
【００１１】
本発明に係る画像処理方法は、書体又は装飾を含む文字書式が設定された文字を有する画像データと該画像データの出力処理要求とを受付け、受付けた前記画像データの出力処理を行う画像処理装置を用いた画像処理方法において、受付けた画像データの出力処理の要求元を認証するステップと、認証が失敗した場合、受付けた画像データの特定文字書式部分を抽出するステップとを有し、抽出した特定文字書式部分の出力を中止することを特徴とする。
【００１２】
本発明に係る画像処理方法は、書体又は装飾を含む文字書式が設定された文字を有する画像データと該画像データの出力処理要求とを受付け、受付けた前記画像データの出力処理を行う画像処理装置を用いた画像処理方法において、受付けた画像データの出力処理の要求元を認証するステップと、受付けた画像データの特定文字書式部分を抽出するステップとを有し、認証が失敗した場合、抽出した特定文字書式部分の出力を中止することを特徴とする。
【００１３】
本発明に係る画像処理装置は、書体又は装飾を含む文字書式が設定された文字を有する画像データと該画像データの出力処理要求とを受付け、受付けた前記画像データの出力処理を行う画像処理装置において、受付けた画像データの出力処理の要求元を認証する認証手段と、該認証手段による認証が失敗した場合、受付けた画像データの特定文字書式部分を抽出する抽出手段と、該抽出手段が抽出した特定文字書式部分の出力を中止する出力中止手段とを備えることを特徴とする。
【００１４】
本発明に係る画像処理装置は、書体又は装飾を含む文字書式が設定された文字を有する画像データと該画像データの出力処理要求とを受付け、受付けた前記画像データの出力処理を行う画像処理装置において、受付けた画像データの出力処理の要求元を認証する認証手段と、受付けた画像データの特定文字書式部分を抽出する抽出手段と、認証手段による認証が失敗した場合、抽出手段が抽出した特定文字書式部分の出力を中止する出力中止手段とを備えることを特徴とする。
【００１５】
本発明に係る画像処理装置は、書体又は装飾を含む文字書式が設定された文字を有する画像データを受付け、受付けた画像データの出力処理を行う画像処理装置において、受付けた画像データの特定文字書式部分の出力指示又は出力中止指示を受付ける指示受付手段と、該指示受付手段が出力中止指示を受付けた場合、受付けた画像データの特定文字書式部分を抽出する抽出手段と、該抽出手段が抽出した特定文字書式部分の出力を中止する出力中止手段とを備えることを特徴とする。
【００１６】
本発明に係る画像処理装置は、書体又は装飾を含む文字書式が設定された文字を有する画像データを受付け、受付けた画像データの出力処理を行う画像処理装置において、受付けた画像データの特定文字書式部分の出力指示又は出力中止指示を受付ける指示受付手段と、受付けた画像データの特定文字書式部分を抽出する抽出手段と、指示受付手段が出力中止指示を受付けた場合、抽出手段が抽出した特定文字書式部分の出力を中止する出力中止手段とを備えることを特徴とする。
【００１７】
本発明に係る画像処理装置は、書体又は装飾を含む文字書式が設定された文字を有する画像データを受付け、受付けた画像データの送信を含む出力処理を行う画像処理装置において、受付けた画像データの特定文字書式部分の送信が許可される送信先が記憶された送信先記憶部と、受付けた画像データの送信先が送信先記憶部に記憶されていない場合、受付けた画像データの特定文字書式部分を抽出する抽出手段と、該抽出手段が抽出した特定文字書式部分の送信を中止する出力中止手段とを備えることを特徴とする。
【００１８】
本発明に係る画像処理装置は、書体又は装飾を含む文字書式が設定された文字を有する画像データを受付け、受付けた画像データの送信を含む出力処理を行う画像処理装置において、受付けた画像データの特定文字書式部分の送信が許可される送信先が記憶された送信先記憶部と、受付けた画像データの特定文字書式部分を抽出する抽出手段と、受付けた画像データの送信先が送信先記憶部に記憶されていない場合、抽出手段が抽出した特定文字書式部分の送信を中止する出力中止手段とを備えることを特徴とする。
【００１９】
本発明に係る画像処理装置は、受付けた画像データの特定文字書式に関する特定文字書式情報を取得する取得手段を備え、前記抽出手段は、取得手段が取得した特定文字書式情報に基づいて、前記画像データの特定文字書式部分を抽出するように構成されていることを特徴とする。
【００２０】
本発明に係る画像処理装置は、前記特定文字書式情報は、受付けた画像データに付加されており、前記取得手段は、受付けた画像データに付加されている特定文字書式情報を抽出するように構成されていることを特徴とする。
【００２１】
本発明に係る画像処理装置は、前記出力中止手段は、特定文字書式部分を所定記号に置換えるように構成されていることを特徴とする。
【００２２】
本発明に係る画像処理装置は、特定文字書式部分の出力を中止している場合、特定文字書式部分の出力中止を報知する報知手段を備えることを特徴とする。
【００２３】
本発明に係るコンピュータプログラムは、コンピュータに、前記画像処理装置へ画像データを送信させるコンピュータプログラムであって、コンピュータに、特定文字書式に関する特定文字書式情報を受付けさせる手順と、コンピュータに、前記画像処理装置へ送信する画像データの所定文字書式部分を前記特定文字書式に変換させる手順とを含むことを特徴とする。
【００２４】
本発明に係るコンピュータプログラムは、コンピュータに、前記画像処理装置へ画像データを送信させるコンピュータプログラムであって、コンピュータに、送信する画像データの特定文字書式に関する特定文字書式情報を受付けさせる手順と、コンピュータに、受付けた特定文字書式情報を前記画像処理装置へ送信させる手順とを含むことを特徴とする。
【００２５】
本発明に係るコンピュータプログラムは、コンピュータに、前記画像処理装置へ画像データを送信させるコンピュータプログラムであって、コンピュータに、送信する画像データの特定文字書式に関する特定文字書式情報を受付けさせる手順と、コンピュータに、受付けた特定文字書式情報を前記画像データに付加させる手順とを含むことを特徴とする。
【００２６】
本発明においては、受付けた画像データの出力処理の要求元を認証手段で認証する。認証手段の認証が失敗した場合、受付けた画像データの例えば太字又はアンダーラインなどの特定文字書式部分を抽出手段で抽出し、抽出した特定文字書式部分の出力を出力中止手段で中止する。文書を作成する場合、例えば、重要部分（機密部分）を太字又は斜体にしたり、アンダーラインを引くことが多い。特定文字書式を含んだ画像データの出力処理を行う際、出力処理の要求元を認証できた場合は、特定文字書式部分（重要部分）と非特定文字書式部分（通常部分）との両方を含んだ元画像が出力されるが、出力処理の要求元を認証できなかった場合は、非特定文字書式部分（通常部分）の方だけが出力される。なお、画像データは、スキャナで原稿を読取ったり、コンピュータから画像データ又は文書データを受付けることが可能である。また、受付けた画像データは、記録用紙に印刷したり、ファクシミリ送信することが可能である。
【００２７】
本発明においては、受付けた画像データの例えば太字又はアンダーラインなどの特定文字書式部分を抽出手段で抽出する。抽出した特定文字書式部分は、非特定書式部分と分けて管理することが可能である。また、受付けた画像データの出力処理の要求元を認証手段で認証する。認証手段の認証が失敗した場合、抽出手段が抽出した特定文字書式部分の出力を出力中止手段で中止する。特定文字書式を含んだ画像データの出力処理を行う際、出力処理の要求元を認証できた場合は、特定文字書式部分（重要部分）と非特定文字書式部分（通常部分）の両方を含んだ元画像が出力されるが、出力処理の要求元を認証できなかった場合は、非特定文字書式部分（通常部分）の方だけが出力される。また、認証と特定文字書式部分の抽出とを並列的に実行することにより、画像データの出力処理を効率的に行うことができる。
【００２８】
本発明においては、太字又はアンダーラインなどの特定文字書式部分の出力指示又は出力中止指示を指示受付手段で受付ける。出力中止指示を受付けた場合、受付けた画像データの特定文字書式部分を抽出手段で抽出し、抽出した特定文字書式部分の出力を出力中止手段で中止する。特定文字書式を含んだ画像データの出力処理を行う際、出力指示を受付けた場合は、特定文字書式部分（重要部分）と非特定文字書式部分（通常部分）との両方を含んだ元画像が出力されるが、出力中止指示を受付けた場合は、非特定文字書式部分（通常部分）の方だけが出力される。
【００２９】
本発明においては、受付けた画像データの特定文字書式部分を抽出手段で抽出する。抽出した特定文字書式部分は、非特定書式部分と分けて管理することが可能である。また、太字又はアンダーラインなどの特定文字書式部分の出力指示又は出力中止指示を指示受付手段で受付ける。出力中止指示を受付けた場合、抽出手段が抽出した特定文字書式部分の出力を出力中止手段で中止する。特定文字書式を含んだ画像データの出力処理を行う際、出力指示を受付けた場合は、特定文字書式部分（重要部分）と非特定文字書式部分（通常部分）との両方を含んだ元画像が出力されるが、出力中止指示を受付けた場合は、非特定文字書式部分（通常部分）の方だけが出力される。また、出力指示の判定と特定文字書式部分の抽出とを並列的に実行することにより、画像データの出力処理を効率的に行うことができる。
【００３０】
本発明においては、太字又はアンダーラインなどの特定文字書式部分の送信を許可する送信先が送信先記憶部に記憶されている。受付けた画像データの送信先が送信先記憶部に記憶されていない場合、受付けた画像データの特定文字書式部分を抽出手段で抽出し、抽出した特定文字書式部分の送信を出力中止手段で中止する。特定文字書式を含んだ画像データの送信を行う際、送信先が登録されている場合は、特定文字書式部分（重要部分）と非特定文字書式部分（通常部分）との両方を含んだ元画像が送信されるが、送信先が登録されていない場合は、非特定文字書式部分（通常部分）の方だけが送信される。
【００３１】
本発明においては、太字又はアンダーラインなどの特定文字書式部分の送信を許可する送信先が送信先記憶部に記憶されている。また、受付けた画像データの特定文字書式部分を抽出手段で抽出する。抽出した特定文字書式部分は、非特定書式部分と分けて管理することが可能である。受付けた画像データの送信先が送信先記憶部に記憶されていない場合、抽出手段が抽出した特定文字書式部分の送信を出力中止手段で中止する。特定文字書式を含んだ画像データの送信を行う際、送信先が登録されている場合は、特定文字書式部分（重要部分）と非特定文字書式部分（通常部分）との両方を含んだ元画像が送信されるが、送信先が登録されていない場合は、非特定文字書式部分（通常部分）の方だけが送信される。また、送信先の登録判定と特定文字書式部分の抽出とを並列的に実行することにより、画像データの出力処理を効率的に行うことができる。
【００３２】
本発明においては、受付けた画像データの例えば太字又はアンダーラインなどの特定文字書式に関する特定文字書式情報を取得し、前記画像データの特定文字書式部分を抽出する際は、取得した特定文字書式情報に基づいて抽出を行う。特定文字書式情報は、例えば画像データの送信元から受付けることが可能である。
【００３３】
本発明においては、特定文字書式情報は、受付けた画像データに付加されており、取得手段は、前記受付けた画像データに付加されている特定文字書式情報を抽出する。例えば予め決められている規則に従ったバーコードなどを用いて、特定文字書式情報が画像データに付加されている。取得手段は、例えばＯＣＲなどを用いてバーコードを認識し、バーコードに対応する特定文字書式情報を取得することが可能である。
【００３４】
本発明においては、出力中止手段は、特定文字書式部分を所定記号に置換えることにより、特定文字書式部分の出力を中止する。例えば、特定文字書式部分を黒塗りの四角（以下、塗潰しマーク）などの記号に置換えることが可能である。特定文字書式部分の出力を中止し、非特定文字書式部分だけを出力した場合、ユーザが文書の作成ミス又は機械の不具合と誤解する可能性がある。特定文字書式部分を塗潰しマークなどの所定記号で示すことにより、故意に印刷しなかったことをユーザに明確に示すことが可能になる。
【００３５】
本発明においては、特定文字書式部分の出力を中止している場合、特定文字書式部分の出力中止を報知手段で報知する。例えば操作パネルなどにメッセージを報知することが可能である。特定文字書式部分の出力を中止し、非特定文字書式部分だけを出力した場合、ユーザが文書の作成ミス又は機械の不具合と誤解する可能性がある。特定文字書式部分を出力しなかったことを報知することにより、故意に印刷しなかったことをユーザに認識させることが可能になる。
【００３６】
本発明においては、前記本発明に係る画像処理装置の出力中止対象の特定文字書式に関する特定文字書式情報を受付け、前記画像処理装置へ送信する画像データの所定文字書式部分を特定文字書式に変換し、変換後の画像データを送信する。前記画像処理装置は、認証又は指示などに応じて、前記画像データの特定文字書式部分を出力する又は出力を中止する。ユーザは、送信する画像データの所定文字書式を特定文字書式に変換して前記画像処理装置へ送信することが可能になる。
【００３７】
本発明においては、前記本発明に係る画像処理装置へ送信する画像データの特定文字書式に関する特定文字書式情報を受付け、画像データと受付けた特定文字書式情報とを送信する。前記画像処理装置は、認証又は指示などに応じて、前記画像データの特定文字書式部分を出力する又は出力を中止する。ユーザは、送信する画像データの特定文字書式を前記画像処理装置に指示することが可能になる。
【００３８】
本発明においては、前記本発明に係る画像処理装置へ送信する画像データに、コンピュータなどの情報処理装置が受付けた特定文字書式情報を付加し、特定文字書式情報が付加された画像データを送信する。例えば予め決められている規則に従ったバーコードなどを用いて、特定文字書式情報を画像データに付加する。ユーザは、画像データの特定文字書式を指定し、指定した特定文字書式に関する特定文字書式情報が付加された画像データを前記画像処理装置へ送信することが可能になる。
【発明の効果】
【００３９】
本発明によれば、例えば太字又はアンダーラインなどの特定文字書式部分（重要部分）の出力／出力中止を、出力処理の要求元の認証結果に応じて切換えることが可能であるため、モノクロ環境において、重要部分を含んだ文書を不特定多数が複写、印刷又はファクシミリ送信することを防止できると共に、ユーザの利便性が向上する。
【００４０】
本発明によれば、特定文字書式部分（重要部分）の出力／出力中止を、指示に応じて切換えることが可能なため、モノクロ環境において、重要部分を含んだ文書を不特定多数が複写、印刷又はファクシミリ送信することを防止できると共に、ユーザの利便性が向上する。
【００４１】
本発明によれば、特定文字書式部分（重要部分）の送信／送信中止を、送信先に応じて切換えることが可能であるため、モノクロ環境において、例えばファックス番号を誤入力した場合であっても、見知らぬ送信先への重要部分の送信を防止できると共に、ユーザの利便性が向上する。
【００４２】
本発明によれば、出力対象の画像データの特定文字書式に関する特定文字書式情報を画像処理装置で取得し、取得した特定文字書式を認証又は指示などに応じて出力する又は出力を中止することにより、機密部分（特定文字書式）を含んだ文書を不特定多数が複写、印刷又はファクシミリ送信することを防止できると共に、ユーザによる特定文字書式の柔軟な変更が可能となり、ユーザの文書作成又は文書出力の利便性が向上する。
【００４３】
本発明によれば、出力対象の画像データに特定文字書式情報を付加することにより、ユーザによる特定文字書式の柔軟な変更が可能となり、ユーザの文書作成又は文書出力の利便性が向上する。また、画像データの送信とは別に特定文字書式の指示を行う手間が省けると共に、特定文字書式の指示を間違えたり、指示を忘れることを防止できる。
【００４４】
本発明によれば、認証又は指示などによる特定文字書式部分の出力又は出力中止の決定と、特定文字書式部分の抽出とを並列的に実行することにより、画像データの出力処理を効率的に行うことができる。
【００４５】
本発明によれば、出力を中止した特定文字書式部分を塗潰しマークなどの所定記号で示したり、表示パネルにメッセージを表示するなど、故意に印刷しなかったことをユーザに明確に報知することができる。
【００４６】
本発明によれば、画像データを前記画像処理装置へ送信する際、前記画像データの所定文字書式部分を特定文字書式に変換して送信することにより、ユーザが独自に設定した文字書式を特定文字書式に変換でき、文書作成又は文書出力の利便性が向上する。
【００４７】
本発明によれば、画像データを前記画像処理装置へ送信する際、前記画像データの特定文字書式に関する特定文字書式情報を受付けて送信することにより、ユーザは特定文字書式を柔軟に設定でき、文書作成又は文書出力の利便性が向上する。
【発明を実施するための最良の形態】
【００４８】
以下、本発明をその実施の形態を示す図面に基づいて具体的に説明する。
（第１の実施の形態）
図１は本発明に係る画像処理装置１０の構成を示すブロック図であり、図２は画像処理装置１０が接続された通信ネットワークを示すブロック図である。画像処理装置１０は、画像読取部１００と、通信部１５０と、画像読取部１００及び通信部１５０に接続された画像メモリ１８０と、画像メモリ１８０に接続された文字制限部１１０と、画像メモリ１８０及び文字制限部１１０間に接続された文字書式識別部１９０と、文字制限部１１０及び通信部１５０に接続された画像処理部１３０と、画像処理部１３０に接続された画像形成部１４０と、前記各部に接続された制御部１２０と、制御部１２０に接続された記憶部１７０及び操作部１６０とを備えている。画像処理装置１０の各部は制御部１２０で制御される。
【００４９】
操作部１６０は、例えば操作パネル１６１及び液晶パネル１６２を備え、制御部１２０は、操作パネル１６１から操作指示を受付けたり、処理状況などを液晶パネル１６２に表示することが可能である。また、画像処理装置１０（通信部１５０）は、図２に示すように、コンピュータ２２が接続されたネットワーク２６に接続されている。ネットワーク２６は、インターネット又は電話回線などの外部ネットワーク２４と接続されている。制御部１２０は、操作部１６０の操作パネル１６１又は通信部１５０を介してコンピュータ２２から受付けた操作指示に応じて、印刷（コピー、プリント）又はファックス送信などの出力処理を行なう。出力処理は、印刷又はファクシミリ送信に加えて、コンピュータ２２への画像データ送信又は電子メール送信なども含む。
【００５０】
画像読取部１００は、原稿を例えば白黒２値に変換した画像データを出力するもの（例えばスキャナ）であり、画像形成部１４０は、受付けた画像データを露光手段により像担持体に静電潜像として形成し、該静電潜像を現像剤で可視化し、該可視化した像を記録媒体（以下、記録用紙）に転写するものである。
【００５１】
画像読取部１００は例えばＣＣＤ（Charge Coupled Device）を備え、原稿の画像データを読取り、読取った画像データを画像メモリ１８０に送る。また、通信部１５０は、ネットワーク２６との通信制御を行い、例えばコンピュータ２２から画像データを受取り、受取った画像データを画像メモリ１８０に送る。画像メモリ１８０に記憶された画像データは、制御部１２０の制御で文字制限部１１０及び文字書式識別部１９０に送られる。ここで、文字書式は、アンダーライン又は傍点などの文字装飾、太字又は斜体などの書体、及び、フォントサイズ又は網掛などの文字に関する設定を含む。
【００５２】
記憶部１７０には、太字又はアンダーラインなどの特定文字書式に関する特定文字書式情報と、画像データの特定文字書式部分の出力が許可される出力処理の要求元ユーザに関するユーザ情報とが記憶されており、制御部１２０は、画像読取部１００又は通信部１５０が受付けた画像データの出力処理の要求元を認証する手段（認証手段）として動作し、認証が失敗した場合、文字制限部１１０に特定文字書式部分の出力中止指示を与える。
【００５３】
文字書式識別部１９０は、画像データに含まれる文字領域に対して、各文字の文字書式を識別し、識別結果（以下、識別情報）を制御部１２０及び文字制限部１１０に送る。文字書式の識別は、通常のＯＣＲと同様に、アンダーライン又は太字などの識別を行う。制御部１２０は、文字書式識別部１９０から受取った識別情報と記憶部１７０に記憶されている特定文字書式情報とを比較し、特定文字書式が含まれている場合は認証を行う。認証は、例えば操作部１６０から受付けたパスワードと、ユーザ情報に登録されているパスワードを制御部１２０で比較することが可能である。
【００５４】
文字制限部１１０は、制御部１２０から特定文字書式部分の出力中止指示（特定文字書式情報を含む）が与えられた場合、文字書式識別部１９０から与えられた識別情報に基づいて、画像メモリ１８０から受取った画像データの特定文字書式部分を抽出する手段（抽出手段）、及び、抽出した特定文字書式部分の出力を中止する手段（出力中止手段）として動作する。文字制限部１１０は、例えば白色用紙に印刷を行なう場合は、特定文字書式部分を白色などに変換したり、特定文字書式部分を白色などで塗潰すことが可能である。特定文字書式部分が消去（例えば白色に変換）された画像データは文字制限部１１０から画像処理部１３０に送られる。一方、制御部１２０から出力中止指示が無い場合、文字制限部１１０は、受取った画像データをそのまま画像処理部１３０に送る。
【００５５】
画像処理部１３０は、例えば操作部１６０からの指示に応じて、文字制限部１１０から受取った画像データの拡大又は縮小などの画像処理を行なう。また、画像処理部１３０は、制御部１２０からの指示に応じて、画像データを画像形成部１４０又は通信部１５０に送る。画像形成部１４０は例えばＬＳＵ（Laser Scanning Unit）を備え、画像処理部１３０から受取った画像データの静電潜像を感光体に形成するなどして記録用紙に画像を形成する。また、通信部１５０は、画像処理部１３０から受取った画像データを、制御部１２０から指示されたコンピュータ２２又は外部のファックス機器などの送信先へ送信する。
【００５６】
図３に画像処理装置１０の主に画像読取及び画像形成に関係する部分の詳細な構成を示す。画像処理装置１０は、上面に透明なガラス等を有する原稿台６７０を有している。原稿台６７０の下部には、原稿を読み取る光学系が配置されている。光学系は原稿台６７０上に載置される原稿に光を照射する露光用光源６７１と、結像レンズと、光電変換素子（ＣＣＤ）６７３に光を導く複数の反射鏡６７２とを含む。
【００５７】
また、原稿台６７０の上部には、自動的に原稿を搬送して原稿の読取動作を行なわせる原稿自動送り装置６８０が設置されている。原稿自動送り装置６８０は、原稿を給紙トレイ６８１にセットすると、原稿を１枚ずつ給紙搬送路６８２に送り込む。送り込んだ原稿は、その先端がＰＳローラ６８３に押し当てられた状態で一時停止する。図示しないクラッチをオンにすることにより、ＰＳローラ６８３を図示しない搬送モータの駆動部と連結し一旦停止していた原稿の搬送を再開し、原稿を原稿読取窓６８８に送ることが可能である。
【００５８】
露光用光源６７１を原稿読取窓６８８の直下に移動させ、原稿の搬送開始のタイミングに合わせて原稿に光を照射することにより、原稿からの反射光は前記光学系の各パーツを介してＣＣＤ６７３に導かれる。ＣＣＤ６７３にて読取られた原稿画像データは、図１に示した画像処理部１３０などで画像処理が施され、レーザースキャニングユニット（ＬＳＵ）６２１により、レーザー光を像担持体（以下、感光体）６１１の表面に照射して静電潜像を形成する。
【００５９】
感光体６１１は、ドラム状に形成されており、回転駆動される。感光体６１１の周囲には、感光体６１１表面の静電潜像をトナーにより可視像に現像する現像装置６２０が配置される。感光体６１１の周囲には、感光体６１１表面のトナー像を用紙に転写する転写チャージャー６１３、感光体６１１表面の残留トナーを除去するクリーニング装置、感光体６１１表面を所定の電位に帯電させる帯電器６１２、及び、感光体６１１のレーザー照射点に向かってレーザーを照射するＬＳＵ６２１が配置されている。
【００６０】
画像メモリ１８０に記憶された画像データは文字制限部１１０を介して画像処理部１３０に送られ、画像処理部１３０で、ページ単位の画像に変換された後、画像形成部１４０に送られ、画像形成部１４０で静電潜像を感光体上に形成し、感光体上に形成した画像を記録用紙に転写する。
【００６１】
記録用紙は、用紙カセット６３０に収納されている。用紙カセット６３０の先端部には記録用紙を給紙搬送路６３３に送り込む半月ローラ６３１が配置されている。また、記録用紙の給紙側から排紙側への搬送路に沿って、用紙の通過を検知する図示しないレジスト前検知スイッチと、該レジスト前検知スイッチの信号を基に、感光体６１１上のトナー像と記録用紙の位置合わせを行うＰＳローラ６３２と、記録用紙上のトナー像を加熱ローラと加圧ローラにより記録用紙に定着させる定着ローラ部６５０と、該定着ローラ部６５０を記録用紙が通過したことを検知する図示しない定着紙検知スイッチと、排紙搬送路６３５上で記録用紙が通過したことを検知する図示しない排紙検知スイッチと、記録用紙を排出する為の排紙ローラ６３６とが配置されている。記録用紙は用紙カセット６３０から前述の各部材を通過して排紙トレイ６６０に排出されることにより一連の出力処理（印刷）を完了する。
【００６２】
図４は、画像処理装置１０による画像形成手順の例を示すフローチャートである。画像読取部１００で読取った原稿（Ｓ１０）は画像メモリ１８０に送られ、画像メモリ１８０に記憶された画像データの文字書式に関する識別情報が文字書式識別部１９０から制御部１２０及び文字制限部１１０に与えられる。制御部１２０は、識別情報及び特定文字書式情報に基づいて画像データに特定文字書式が含まれているか否かを判定し、特定文字書式が含まれている場合（Ｓ１２：ＹＥＳ）、液晶パネル１６２にメッセージを表示するなどの制御を行い、操作部１６０からパスワードなどの認証情報を受付け、受付けた認証情報と記憶部１７０に記憶されているユーザ情報とを照合し、認証を行なう（Ｓ１６）。特定文字書式が含まれていない場合（Ｓ１２：ＮＯ）、制御部１２０は、認証を行わずに、画像データを画像処理部１３０にそのまま送る。
【００６３】
認証が失敗した場合（Ｓ１８：ＮＯ）、制御部１２０から文字制限部１１０に特定文字書式の出力中止指示が送られ、文字制限部１１０は、文字書式識別部１９０から受取った識別情報に基づいて、画像メモリ１８０から受取った画像データの特定文字書式部分を消去（例えば特定文字書式部分を抽出し、抽出した特定文字書式部分を例えば白色に変換）し（Ｓ２２）、特定文字書式部分が消去された画像データを画像処理部１３０に送る。また、認証が完了した場合（Ｓ１８：ＹＥＳ）、制御部１２０は文字制限部１１０に特定文字書式の出力中止指示は送らず、文字制限部１１０は、画像メモリ１８０から受取った画像データをそのまま画像処理部１３０に送る。
【００６４】
画像処理部１３０に送られた（Ｓ１２：ＮＯ、Ｓ１８：ＹＥＳ、Ｓ２２）画像データは、画像形成部１４０に送られ、記録用紙に印刷（画像形成）される（Ｓ２６）。読取原稿が無くなる（Ｓ２８：ＮＯ）まで同様の処理を繰り返す（Ｓ２８：ＹＥＳ）。
【００６５】
図５（ａ）は原稿の例を示す図であり、図５（ｂ）及び（ｃ）は印刷済みの記録用紙の例を示す図である。図５（ａ）に示す原稿７００は、例えばアンダーラインが引かれた特定文字書式部分７０２と、アンダーラインが引かれていない非特定文字書式部分７０１とを含む。認証が失敗した場合は、制御部１２０の制御により、上述したように文字制限部１１０で特定文字書式部分７０２の消去が行なわれ、図５（ｂ）に示すように、記録用紙７１０に非特定文字書式部分７０１は出力されるが、特定文字書式部分７０２の出力は中止される。また、認証が完了した場合は、制御部１２０の制御により、上述したように文字制限部１１０は画像データをそのまま画像処理部１３０に送り、図５（ｃ）に示すように、記録用紙７２０には特定文字書式部分７０２及び非特定文字書式部分７０１の両方が記録される。
【００６６】
以上、記録用紙への印刷を例にして説明したが、例えば、文字制限部１１０に送られた画像データを、画像処理部１３０を介して通信部１５０に送り、ファックス送信することなども可能である。また、通信部１５０がコンピュータ２２から受取った画像データを画像メモリ１８０送り、画像形成部１４０で印刷したり、通信部１５０からファックス送信することも可能である。
【００６７】
また、認証は、操作部１６０又は通信部１５０でパスワードを受付ける以外に、例えば無線タグ又はＩＣカードの認証情報を、画像処理装置１０に設けられた取得部で取得して制御部１２０に送ることが可能である。また、通信部１５０でコンピュータ２２のＩＰアドレスを受付けて認証に使用するなど、任意の認証方法を用いることが可能である。
【００６８】
上述した実施の形態においては、ユーザ認証の成功／失敗に応じて特定文字書式部分の出力／出力中止を行なったが、特定文字書式部分の出力／出力中止をユーザが指示することも可能である。図６は、画像処理装置による画像形成手順の例を示すフローチャートである。図６では、図４に示した認証が完了したか否かを判定する処理（Ｓ１６、Ｓ１８）に代えて、特定文字書式部分（重要部分）の出力をユーザが指示したか否かを判定する処理（Ｓ２０）を行っている。例えば、操作部１６０又は通信部１５０を、特定文字書式部分の出力指示又は出力中止指示を受付ける手段（指示受付手段）として動作させ、文字制限部１１０を、制御部１２０からの出力中止指示に応じて、特定文字書式部分を抽出する手段（抽出手段）及び抽出した特定文字書式部分の出力を中止する手段（出力中止手段）として動作させることも可能である。
【００６９】
例えば、デフォルトでは特定文字書式部分の出力を中止するように制御部１２０又は記憶部１７０に設定しておき、ユーザが必要に応じて操作部１６０又は通信部１５０（コンピュータ２２）から特定文字書式の出力指示を与えることが可能である。この場合、制御部１２０は、通常は特定文字書式部分の出力中止指示を文字制限部１１０に与えるが、特定文字書式の出力指示を受付けた場合は、特定文字書式部分の出力中止指示は行なわない。同様に、デフォルトでは特定文字書式部分の出力を行い、ユーザが特定文字書式部分の出力中止指示を与えた場合は文字制限部１１０で特定文字書式部分を消去するなど、ユーザから与えられた特定文字書式部分の出力指示又は出力中止指示に応じて、特定文字書式部分を出力又は出力を中止することが可能である。
【００７０】
図４に示した出力処理の要求元の認証（Ｓ１６、Ｓ１８）及び図６に示した特定文字書式部分の出力／出力中止の指示判定（Ｓ２０）の両方を行うことも可能である。また、特定文字書式部分を画像データから分離し、画像形成時に付加し直すことも可能である。例えば、文字制限部１１０で例えばアンダーライン（特定文字書式）を画像データから分離し、画像形成時にアンダーラインを付加し直すことが可能である。図７は、画像処理装置１０による画像形成手順の例を示すフローチャートである。図７の例では、認証が完了したか否かを判定する処理（Ｓ１６、Ｓ１８）と、重要部分（特定文字書式部分）の出力をユーザが指示したか否かを判定する処理（Ｓ２０）との両方を行っている。また、特定文字書式がある場合（Ｓ１２：ＹＥＳ）、文字制限部１１０で特定文字書式部分を画像データから分離（消去）している（Ｓ１４）。また、認証が完了して重要部分を出力する場合（Ｓ１８：ＹＥＳ、Ｓ２０：ＹＥＳ）、文字制限部１１０で特定文字書式部分を画像データに付加して（Ｓ２４）、画像処理部１３０に送る。さらに、認証が失敗した場合（Ｓ１８：ＮＯ）又は認証が完了したが重要部分を出力しない場合（Ｓ１８：ＹＥＳ、Ｓ２０：ＮＯ）、特定文字書式部分が分離された画像データが文字制限部１１０から画像処理部１３０に送られる。
【００７１】
また、画像処理装置１０が、特定文字書式部分を含んだ画像データをコンピュータ２２から受付けて印刷する場合、コンピュータ２２で特定文字書式部分を含む機密文書を作成しているユーザが、内容確認のために印刷を行なっている可能性が高い。ユーザの利便性を考慮して、通信部１５０がコンピュータ２２から受付けた画像データに関しては、そのまま印刷を行なうように、ユーザ情報又はプログラムを設定することも可能である。また、特定文字書式部分の抽出又は消去は、制御部１２０又は画像処理部１３０で行なうことも可能である。
【００７２】
制御部１２０は、また、操作部１６０又は通信部１５０が受付けた特定文字書式の変更指示に応じて、記憶部１７０に記憶されている特定文字書式情報を更新することが可能である。例えば、アンダーラインを修正部分に使用している場合は、太字又は斜体などを特定文字書式（重要部分）に設定することが可能である。重要部分に使用する文字書式はユーザによって様々であり、使用環境によっては、重要文字書式（特定文字書式）が予め決められている場合又は重要文字書式に使用できない文字書式が予め決められている場合がある。特定文字書式の指定を受付けて変更可能とすることにより、ユーザは特定文字書式を柔軟に変更でき、利便性が向上する。ただし、特定文字書式情報の更新は、ユーザ情報に基づく認証が完了した場合に行なうことが好ましい。
【００７３】
特定文字書式で記載された機密部分のコピー又は印刷を制限することにより、セキュリティを向上させることが可能である。また、認証又は指示によって特定文字書式部分をコピー又は印刷させることも可能であり、高いセキュリティを維持しつつ、ユーザの利便性を向上させることが可能である。また、機密部分を特定文字書式で記載することにより機密保持が実現されるため、機密部分を含む文書を容易かつ効率的に作成又は出力することが可能になる。
【００７４】
（第２の実施の形態）
図８は、本発明に係る画像処理装置２０の構成を示すブロック図である。画像処理装置２０は、第１の実施の形態と同様に、画像読取部１００と、通信部１５０と、一時画像メモリ１８０と、文字書式識別部１９０と、画像処理部２３０と、画像形成部１４０と、制御部２２０と、操作部１６０と、記憶部１７０とを備える。
【００７５】
本実施の形態では、画像処理装置２０は、一時画像メモリ１８０に接続された文字分離部２１０と、文字分離部２１０及び画像処理部２３０間に接続された第１画像メモリ２８０と、文字分離部２１０に接続された暗号化部２８４と、暗号化部２８４に接続された第２画像メモリ２８２と、第２画像メモリ２８２及び画像処理部２３０間に接続された復号部２８６とをさらに備える。また、一時画像メモリ１８０及び文字分離部２１０間に文字書式識別部１９０が接続されている。前記各部は制御部２２０によって制御される。暗号化部２８４は、文字分離部２１０と一体的に構成することが可能であり、復号部２８６は、画像処理部２３０と一体的に構成することが可能である。
【００７６】
文字分離部（抽出手段）２１０は、文字書式識別部１９０から与えられる識別情報及び制御部２２０から与えられる特定文字書式情報に基づいて、一時画像メモリ１８０から受取った画像データを特定文字書式部分と非特定文字書式部分とに分離し、分離した特定文字書式部分を暗号化部２８４に送り、非特定文字書式部分を第１画像メモリ２８０に送る。暗号化部２８４は、文字分離部２１０から受取った特定文字書式部分を暗号化し、暗号化した特定文字書式部分を第２画像メモリ２８２に送る。復号部２８６は、第２画像メモリ２８２に記憶されている暗号化された特定文字書式部分を復号し、復号した特定文字書式部分を画像処理部２３０に送る。
【００７７】
画像処理部（出力中止手段）２３０は、制御部２２０から特定文字書式の出力中止指示が与えられていない場合は、第１画像メモリ２８０に記憶されている非特定文字書式部分と、復号部２８６で復号された特定文字書式部分とを受取り、特定文字書式部分及び非特定文字書式部分を、文字分離部２１０で分離される前の元の画像データに合成し、画像形成部１４０又は通信部１５０に送る。また、画像処理部２３０は、制御部２２０から特定文字書式の出力中止指示が与えられている場合は、第１画像メモリ２８０に記憶されている非特定文字書式部分の方だけを画像形成部１４０又は通信部１５０に送る。
【００７８】
上述した第２の実施の形態においては、第１画像メモリ２８０及び第２画像メモリ２８２を分けているが、第１画像メモリ２８０及び第２画像メモリ２８２を同一画像メモリとし、記憶領域を第１記憶領域及び第２記憶領域に分け、第１記憶領域に非特定文字書式部分を記憶し、第２記憶領域に暗号化された特定文字書式部分を記憶することも可能である。また、暗号化及び復号は、制御部２２０で行なうことも可能である。
【００７９】
特定文字書式部分を暗号化して第２画像メモリ２８２に記憶しているため、第２画像メモリ２８２の内容が読出された場合であっても、暗号化されているため、機密部分（特定文字書式部分）の漏洩を防止することが可能である。
【００８０】
第１画像メモリ２８０として例えばハードディスクなどの磁気記憶装置を用い、第２画像メモリ２８２として例えばＲＡＭなどの半導体記憶装置を用いることが可能である。この場合、ＲＡＭには特定文字書式部分が一時的にしか記憶されないため、機密部分の漏洩をより強固に防止できる。また、ＲＡＭには特定文字書式部分が一時的にしか記憶されないため、暗号化部２８４及び復号部２８６を省いて暗号化を行わない構成とすることも可能である。
【００８１】
（第３の実施の形態）
上述した第２の実施の形態においては、第２画像メモリ２８２に特定文字書式部分を記憶したが、特定文字書式部分及び被特定文字書式部分の両方を記憶することも可能である。図９は、ＲＡＭに画像データ（特定文字書式部分及び非特定文字書式部分の両方）を記憶する画像処理装置３０の構成を示すブロック図である。画像処理装置３０の構成は、第２の実施の形態（図８の画像処理装置２０）と大部分同様であるが、第１画像メモリ２８０としてハードディスク３８０を用い、第２画像メモリ２８２としてＲＡＭ３８２を用いると共に、暗号化部２８４及び復号部２８６は省いてある。
【００８２】
文字分離部２１０は、特定文字書式部分を抽出し、非特定文字書式部分をハードディスク３８０に送り、画像データ（特定文字書式部分及び被特定文字書式部分の両方）をＲＡＭ３８２に送る。画像処理部２３０は、ＲＡＭ３８２から読み出した画像データ（特定文字書式部分及び被特定文字書式部分の両方を含む）、又は、ハードディスク３８０から読み出した非特定文字書式部分を、画像形成部１４０又は通信部１５０に送る。
【００８３】
このように、画像データの分離は、特定文字書式部分と非特定文字書式部分とに分離し、認証が成功した場合は特定文字書式部分及び非特定文字書式部分を合成して出力し、認証が成功しなかった場合は非特定文字書式部分の方だけを出力すること、又は、画像データ（特定文字書式部分及び非特定文字書式部分の両方を含む）と非特定文字書式部分とに分離し、認証が成功した場合は画像データを出力し、認証が成功しなかった場合は非特定文字書式部分の方だけを出力することが可能である。
【００８４】
上述した第３の実施の形態では、ＲＡＭ３８２に記憶されている画像データ（特定文字書式部分及び非特定文字書式部分の両方を含む）の暗号化は行っていないが、上述した第２の実施の形態と同様にして、暗号化部又は制御部でＲＡＭ３８２に記憶する画像データを暗号化することも可能である。
【００８５】
また、制御部２２０は、ＲＡＭ３８２（第２画像メモリ２８２）から読出されて出力処理が完了した特定文字書式部分を即座に消去することが好ましい。出力処理が完了して不要になった特定文字書式部分（機密部分）を制御部２２０が即座に消去することにより、機密部分の漏洩を防止し、セキュリティを高めることが可能になる。
【００８６】
上述した第２及び第３の実施の形態では、ハードディスク３８０を備えることにより、画像データを長期間に渡り保存することが可能となり、ユーザの利便性が向上する。しかも、ハードディスク３８０に記憶されるのは機密部分（特定文字書式部分）を除いた非特定文字書式部分であるため、機密部分の漏洩の危険性は少ない。
【００８７】
また、文字分離部（抽出手段、出力中止手段）２１０が制御部２２０から出力中止指示を受付けた場合、特定文字書式部分のＲＡＭ３８２又は第２画像メモリ２８２への転送を中止することも可能である。この場合、出力中止時は、機密部分（特定文字書式部分）がＲＡＭ３８２又は第２画像メモリ２８２に記憶されず、より強固に機密部分の漏洩を防止できる。
【００８８】
上述した各実施の形態においては、特定文字書式部分を出力せずに、非特定文字書式部分だけを出力して機密部分の漏洩を防止したが、特定文字書式部分を所定記号に置換えることも可能である。例えば、第２又は第３の実施の形態において、文字分離部２１０で特定文字書式部分を塗潰しマークに置換える、又は、画像処理部２３０で特定文字書式部分を塗潰しマークに置換えて、特定文字書式部分が塗潰しマークとなった画像を出力することが可能である。
【００８９】
図１０（ａ）は、印刷された記録用紙の例を示す図である。ただし、図１０（ａ）の例は図５（ｂ）に対応する例であり、記録用紙７４０に、非特定文字書式部分７０１と塗潰しマーク部分（特定文字書式部分）７０４とが印刷されている。図５（ｂ）に示したように、特定文字書式部分７０２を出力しないことにより、機密部分（特定文字書式部分）の漏洩を防止することが可能であるが、非特定文字書式部分７０１しか印刷されないため、文書の作成ミス又は機械の故障であるとユーザが誤認識する可能性がある。しかし、図１０（ａ）に示すように、特定文字書式部分を塗潰しマーク７０４で表すことにより、機密部分を故意に印刷していないことを明確に示すことが可能である。
【００９０】
故意に印刷しなかったことを明確に示す方法は、上記方法に限らず、任意のパターン又はしるしなどを用いることが可能である。例えば図１０（ｂ）に示すように、特定文字書式部分をアンダーライン７０３のみ（アンダーラインのみで文字は無し）で出力することにより、故意に印刷しなかったことを明確に示すことが可能となる。前記所定記号は、特定文字書式部分を故意に出力していないことを示すしるしであればよく、黒塗りの四角又は白塗りの丸などの図形を用いたり、「消去」又は「機密」などの文字を用いることも可能である。
【００９１】
また、制御部１２０又は２２０がユーザを認証できず、画像データの特定文字書式部分が印刷されない場合、印刷が終了したタイミングで、制御部１２０又は２２０の制御により、特定文字書式部分が印刷されていないことを操作部１６０の液晶パネル１６２（報知手段）に表示したり、通信部（報知手段）１５０から印刷要求元ユーザのコンピュータ２２へ通知することが可能である。また、特定文字書式部分が印刷されていないことを、図示しないスピーカ（報知手段）から音声で通知したり、印刷した記録用紙のヘッダ部分に画像処理部（報知手段）でメッセージを印刷することも可能である。特定文字書式部分を印刷していないことを報知することにより、機密部分を故意に出力していないことを明確にユーザに示し、利便性を向上させることが可能である。
【００９２】
（第４の実施の形態）
上述した実施の形態においては、出力処理の要求元ユーザの認証が完了した場合に、特定文字書式部分を印刷したが、例えば機密部分を含む文書を通信部１５０からファックス送信する場合、送信先に応じて、特定文字書式部分の送信／送信中止を切換えることも可能である。図１１は、送信先に応じて特定文字書式部分の出力を中止する画像処理装置４０の例を示すブロック図である。画像処理装置４０は、第１の実施の形態と同様に、画像読取部１００、通信部１５０、画像メモリ１８０、文字制限部１１０、文字書式識別部１９０、画像処理部１３０、画像形成部１４０、制御部４２０、操作部１６０及び記憶部４７０を備えている。
【００９３】
本実施の形態では、記憶部（送信先記憶部）４７０には、機密部分の送信を許可する送信先のファックス番号などの送信先情報が記憶されている。制御部４２０は、操作部１６０の操作パネル１６１からファックス番号などのファックス送信先を受付けた場合、受付けたファックス送信先が記憶部４７０の送信先情報に登録されているか確認し、登録されていない場合は、文字制限部（抽出手段、出力中止手段）１１０に特定文字書式の出力中止指示を与える。
【００９４】
ファックス送信先が記憶部４７０の送信先情報に登録されている場合は、文字制限部１１０による特定文字書式の消去は行われず、制御部４２０の制御により、例えば図５（ｃ）に示したように、画像メモリ１８０が受付けた画像データがそのまま通信部１５０からファックス送信される。一方、送信先のファックス番号が記憶部４７０の送信先情報に登録されていない場合は、制御部４２０が出力中止指示を文字制限部１１０に与えるため、文字書式識別部１９０で識別された特定文字書式部分は文字制限部１１０で消去（例えば白色に変換）され、制御部４２０の制御により、例えば図５（ｂ）に示したように、特定文字書式部分が消去された画像データが通信部１５０からファックス送信される。予め登録されている送信先だけに特定文字書式部分を送信するため、機密部分の漏洩を防止してセキュリティを高めると共に、ユーザの利便性を向上させることが可能である。
【００９５】
また、送信する際に、操作部１６０の操作パネル１６１又は通信部１５０を介してコンピュータ２２から特定文字書式部分の出力／出力中止指示を受付け、受付けた指示に応じて制御部４２０から文字制限部１１０へ出力中止指示を与えることも可能である。
【００９６】
制御部４２０は、また、特定文字書式部分を送信する場合、特定文字書式部分又は画像データ全体を暗号化することも可能である。外部の通信回線へ送信する機密部分（特定文字書式部分）を暗号化することにより、送信途中の機密部分の漏洩を防止して、セキュリティを高めることが可能である。暗号化は、特定文字書式部分を送信する場合に、予め決められた暗号方式及び鍵を用いて特定文字書式部分又は画像データ全体を暗号化して、受信側のファックス機器で復号することも可能であるが、受信側の特定ユーザのみが復号できるようにすることも可能である。
【００９７】
また、第２又は第３の実施の形態（図８又は図９）と同様に、文字制限部１１０の代わりに文字分離部２１０を設け、第１画像メモリ２８０及び第２画像メモリ２８２（または、ＲＡＭ３８２及びハードディスク３８０）を文字分離部２１０及び画像処理部２３０間に設け、文字分離部２１０で分離された特定文字書式部分及び非特定文字書式部分を、画像処理部２３０で合成して出力する、又は、非特定文字書式部のみを出力することも可能である。
【００９８】
上述した各実施の形態において、特定文字書式は、複数の文字書式を設定することが可能である。この場合、複数の特定文字書式の何れかを使用すればよいため、ユーザの利便性が向上する。重要部分に使用する文字書式はユーザによって様々であり、例えば、重要性の差を明確にするため、複数文字書式を使用する場合がある。特定文字書式の複数設定を可能とすることにより、特定文字書式に使用する文字書式の汎用性（冗長性）が高まるとともに、利便性を向上させることが可能になる。
【００９９】
また、複数の特定文字書式に機密レベルを設定し、機密レベルに応じて出力／出力中止を制御することも可能である。図１２は、機密レベル（重要度）が設定された特定文字書式情報の例を示す図である。図１２の例では、機密レベルの高い方から太字、傍点、アンダーライン、斜体の特定文字書式が設定されている。上述した制御部１２０，２２０又は４２０は、例えば機密レベル３、４の特定文字書式部分に関しては、出力／出力中止の制御を行い、機密レベル１、２の特定文字書式部分に関しては、常に出力することなどが可能である。使用する文字書式に応じて、出力／出力中止が制御されるため、ユーザの文書作成及び出力の利便性が向上する。
【０１００】
また、ファックス送信において、送信先毎に、送信を許可する機密レベル（重要度）を設定することも可能である。例えば、記憶部４７０の送信先情報に、各送信先に対して送信を許可する機密レベルを設定しておき、制御部４２０により、送信先に許可されている機密レベルの特定文字書式は送信し、許可されていない機密レベルの特定文字書式は消去（送信を中止）することが可能である。同様に、複写，印刷又はファックス送信毎に、制御部１２０，２２０又は４２０が出力を許可する機密レベルを設定することも可能である。例えば、印刷時は機密レベル１，２，３に関しては常に出力し、複写時は機密レベル１，２に関しては常に出力し、ファックス送信時は機密レベル１に関しては常に出力するように、制御部１２０，２２０又は４２０で制御することが可能である。
【０１０１】
（第５の実施の形態）
図１３は、上述した画像処理装置１０、２０、３０又は４０に接続されたコンピュータ２２の構成例を示すブロック図である。コンピュータ２２は、ＣＰＵ（Central Processing Unit）３１と、ＲＡＭ３２と、ハードディスク３３と、キーボードなどの入力部３４と、モニタなどの表示部３５と、ネットワーク２６に接続された通信部３６と、ＣＤ−ＲＯＭ（Conpact Disk - Read Only Memory）ドライブなどの外部記憶装置３７とを備える。
【０１０２】
ハードディスク３３には、コンピュータ２２の通信部（受付手段）３６が画像処理装置１０、２０、３０又は４０の通信部１５０から受付けた特定文字書式に関する特定文字書式情報が記憶されている。なお、画像処理装置１０、２０、３０又は４０は、制御部１２０、２２０又は４２０の制御により、記憶部１７０又は４７０に記憶されている特定文字書式情報を通信部１５０からコンピュータ２２へ送信する。
【０１０３】
また、ハードディスク３３には、ユーザ独自の重要文字書式に関する変換文字書式情報が記憶されている。ＣＰＵ３１は、ハードディスク３３に記憶されている文書データの印刷指示を入力部３４から受付けた場合、ハードディスク３３に記憶されている変換文字書式情報及び特定文字書式情報に基づいて、印刷する文書データ内の重要文字書式を特定文字書式に変換する手段（変換手段）として動作し、変換が済んだ画像データを通信部３６から画像処理装置１０、２０、３０又は４０へ送信する。
【０１０４】
ＣＤ−ＲＯＭ等の記録媒体３９に記録されたコンピュータプログラムを外部記憶装置３７で読出してハードディスク３３に記憶するなどし、前記コンピュータプログラムをＲＡＭ３２に読出してＣＰＵ３１に実行させることにより、コンピュータ２２を上述した各手段として動作させることが可能である。また、通信部３６で他の装置からコンピュータプログラムを受付けてハードディスク３３に記憶することも可能である。
【０１０５】
図１４は、文書データの印刷の例を示す図である。例えば、ハードディスク３３に記憶されている文書データ８００の重要部分８０２の文字書式（重要文字書式）が２重線のアンダーラインで、特定文字書式が１重線のアンダーラインである場合、上述したように、コンピュータ２２のＣＰＵ３１で重要文字書式（重要部分８０２）を特定文字書式（特定文字書式部分８０４）に変換した文書データ８１０が作成される。作成された文書データ８１０が通信部３６から画像処理装置１０、２０、３０又は４０に送信され、上述したように例えば認証が失敗した場合は特定文字書式部分８０４が消去（例えば白色に変換）された文書データ８２０が印刷される。
【０１０６】
特定文字書式に関する特定文字書式情報を画像処理装置１０，２０，３０又は４０からコンピュータ２２に送信することにより、コンピュータ２２側で重要文字書式を前記特定文字書式に変換し、画像処理装置１０，２０，３０又は４０に送信することが可能になる。重要部分に使用する文字書式はユーザによって様々であるが、コンピュータ２２側で、ユーザが独自に使用している重要文字書式を、画像処理装置１０，２０，３０又は４０側から指示された特定文字書式に変換することが可能であり、ユーザは重要部分に使用する文字書式（重要文字書式）を柔軟に設定でき、利便性が向上する。
【０１０７】
ハードディスク３３に記憶されている変換文字書式情報は、例えば入力部３４からの操作に応じて、ＣＰＵ３１で更新することが可能である。文書データをコンピュータ２２で作成するユーザは、画像処理装置１０、２０、３０又は４０側の特定文字書式に束縛されず、重要部分に任意の文字書式を使用することが可能であり、文書作成の自由度が高まり、利便性が向上する。
【０１０８】
上述した第５の実施の形態においては、ユーザ独自の重要文字書式を特定文字書式に変換したが、例えば印刷文書中の特定文字書式を非特定文字書式に変換することも可能である。例えば、ハードディスク３３の変換文字書式情報に非特定文字書式を登録し、ＣＰＵ３１により、文書データの特定文字書式部分を非特定文字書式に変換することが可能である。ユーザが重要度に関係なく特定文字書式を使用している場合は、特定文字書式部分を非特定文字書式に変換することにより、画像処理装置１０，２０，３０又は４０側で消去されるのを防止することが可能である。また、特定文字書式部分を印刷したい場合に、特定文字書式部分を非特定文字書式に変換し、画像処理装置１０，２０，３０又は４０側で消去されるのを防止することが可能である。この場合、機密文書の印刷を行なうのは、機密文書をコンピュータで作成しているユーザである場合が多く、機密文書が漏洩する可能性は低い。機密文書を作成するユーザの印刷時の利便性を向上させることが可能である。
【０１０９】
また、ＣＰＵ３１により、特定文字書式部分を消去色又は所定記号に変換することも可能である。例えば、白色の用紙に印刷する場合は、特定文字書式部分を白色（消去色）に変換することが可能である。また、例えば特定文字書式を塗潰しマークなどの所定記号に変換することも可能である。特定文字書式部分を消去色に変換することにより、画像処理装置１０，２０，３０又は４０側で特定文字書式を消去（例えば白色に変換）する必要が無くなり、画像処理装置１０，２０，３０又は４０側の出力処理の負荷は低減される。
【０１１０】
上述した文書データ中の重要文字書式部分の特定文字書式への変換、及び、文書データ中の特定文字書式部分の非特定文字書式への変換は、同時的に行なうことも可能である。例えば、変換文字書式情報に重要文字書式及び非特定文字書式を登録しておき、入力部３４からの指示に応じて、ＣＰＵ３１で特定文字書式部を非特定文字書式に変換した後、重要文字書式部分を特定文字書式に変換することも可能である。
【０１１１】
また、ＣＰＵ３１の制御により、入力部３４で受付けた特定文字書式部分の出力指示又は出力中止指示を、通信部３６から画像処理装置へ送信することも可能である。印刷時に特定文字書式部分を出力するように指示できるため、機密文書を作成するユーザの印刷時の利便性を向上させることが可能である。また、画像処理装置へ送信する画像データは、ＣＰＵ３１で暗号化することも可能である。暗号方式及び鍵は事前に決定されており、暗号化された画像データは画像処理装置で復号される。機密文書内の特定文字書式部分（重要部分）を暗号化して画像処理装置に送信することにより、重要部分の漏洩を防止することが可能である。
【０１１２】
（第６の実施の形態）
図１５は、上述した画像処理装置１０、２０、３０又は４０に接続されたコンピュータ２２の構成例を示すブロック図であり、図１３に示したコンピュータ２２と同様の構成をしている。ハードディスク３３には、通信部３６で受付けた特定文字書式情報と、文書データ中の特定文字書式に変換すべき重要文字書式、又は、文書データ中の特定文字書式の変換先である非特定文字書式などに関する変換文字書式情報と、重要文書フラグ（例えば“１”は重要、“０”は重要でない）が付加された文書データとが記憶されている。
【０１１３】
図１６は、文字書式変換の手順を示すフローチャートである。ＣＰＵ３１は、ハードディスク３３に記憶されている文書データに対する印刷指示を入力部３４から受付けた場合、ハードディスク３３に記憶されている印刷対象の文書データの重要文書フラグ、特定文字書式情報及び変換文字書式情報に基づいて、文字書式の変換を行なう。重要文書（重要フラグ＝“１”）の場合は（Ｓ３０：ＹＥＳ）、重要部分（重要文字書式部分）が存在するとき（Ｓ３２：ＹＥＳ）、ＣＰＵ３１は重要文字書式部分を特定文字書式に変換する（Ｓ３６）。また、重要文書でない（重要フラグ＝“０”）場合は（Ｓ３０：ＮＯ）、特定文字書式部分が存在するとき（Ｓ４２：ＹＥＳ）、ＣＰＵ３１は特定文字書式部分を非特定文字書式に変換する（Ｓ４４）。文書データの各文字に対して、上述した処理を行う。
【０１１４】
図１６に示した文字書式変換が済んだ画像データは、通信部３６から画像処理装置１０，２０，３０又は４０に送られる。上述した第６の実施の形態においては、重要文字書式部分を特定文字書式に変換したが、例えば赤色などの重要文字書式部分を特定文字書式に変換することも可能である。
【０１１５】
（第７の実施の形態）
図１７は本発明に係る画像処理装置５０の構成を示すブロック図である。画像処理装置５０は、第１の実施の形態（図１）と同様に、画像読取部１００と、通信部１５０と、画像読取部１００及び通信部１５０に接続された画像メモリ１８０と、画像メモリ１８０に接続された文字制限部１１０と、画像メモリ１８０及び文字制限部１１０間に接続された文字書式識別部１９０と、文字制限部１１０及び通信部１５０に接続された画像処理部１３０と、画像処理部１３０に接続された画像形成部１４０と、前記各構成部に接続された制御部１２０と、制御部１２０に接続された記憶部１７０及び操作部１６０とを備えている。
【０１１６】
本実施の形態では、画像メモリ１８０及び文字制限部１１０間に、画像メモリ１８０に記憶された画像データに付加されている、特定文字書式に関する特定文字書式情報を取得する特定文字書式情報抽出部（取得手段）１９２が接続されている。特定文字書式情報は予め決められた規則に従って画像データに付加されている。例えば特定文字書式情報に対応するバーコードを画像データに付加したり、特定文字書式情報に対応するパターンを人間の目が認識し難いように画像データに付加したり、特定文字書式情報に対応して画像データを僅かに加工することが可能である。また、特定文字書式情報は、確実に認識できるように、画像データの端部など、固定位置に設けることが可能である。
【０１１７】
特定文字書式情報抽出部１９２は、例えば画像データ内のバーコード（特定文字書式情報）をＯＣＲなどで識別し、予め特定文字書式情報抽出部１９２に記憶されているバーコードと特定文字書式との対応関係に基づいて、前記識別したバーコードに対応する特定文字書式を取得することが可能である。また、例えば画像データ内のパターン又は加工部分（特定文字書式情報）をＯＣＲなどで識別し、予め特定文字書式情報抽出部１９２に記憶されているパターン又は加工の種類と特定文字書式との対応関係に基づいて、前記識別したパターン又は加工に対応する特定文字書式を取得することが可能である。特定文字書式情報抽出部１９２が取得した特定文字書式情報は制御部１２０に送られる。
【０１１８】
図１８は、画像処理装置５０による画像形成手順の例を示すフローチャートである。画像処理装置５０は、例えば、原稿を画像読取部１００で読取った（Ｓ１０）場合、特定文字書式情報抽出部１９２により、読取った画像データから特定文字書式情報を取得し（Ｓ１１）、取得した特定文字書式情報を制御部１２０に送る。また、文字書式識別部１９０は画像データの各文字の文字書式を識別し、識別情報を制御部１２０及び色制限部１１０に送る。制御部１２０は、識別情報及び特定文字書式情報に基づいて、画像データに特定文字書式が含まれているか否かを判定し、特定文字書式が含まれている場合（Ｓ１２：ＹＥＳ）、操作部１６０からパスワードなどの認証情報を受付け、受付けた認証情報と記憶部１７０に記憶されているユーザ情報とを照合し、認証を行なう（Ｓ１６）。
【０１１９】
認証が失敗した場合（Ｓ１８：ＮＯ）、制御部１２０から文字制限部１１０に出力中止指示（特定文字書式情報を含む）が送られる。出力中止指示を受取った文字制限部１１０は、文字書式識別部１９０から送られる識別情報に基づいて特定文字書式部分及び特定文字書式情報を消去する（Ｓ２２）。消去する特定文字書式情報の位置などの情報は、特定文字書式情報抽出部１９２から得ることが可能である。また、認証が成功した場合（Ｓ１８：ＹＥＳ）又は特定文字書式がない場合（Ｓ１２：ＮＯ）、制御部１２０は文字制限部１１０に特定文字書式の出力中止指示は送らず、文字制限部１１０は、画像メモリ１８０から読出した画像データをそのまま画像処理部１３０に送る。画像処理部１３０に送られた画像データは、例えば画像形成部１４０に送られ、記録用紙に印刷（画像形成）される（Ｓ２６）。読取原稿が無くなる（Ｓ２８：ＮＯ）まで同様の処理を繰り返す（Ｓ２８：ＹＥＳ）。
【０１２０】
図１９（ａ）は原稿の例を示す図であり、図１９（ｂ）及び（ｃ）は印刷済みの記録用紙の例を示す図である。図１９（ａ）に示す原稿７００は、例えばアンダーラインが引かれた特定文字書式部分（機密部分）７０２と、特定文字書式情報部分７０４とを含む。認証が失敗した場合は、制御部１２０の制御により、上述したように文字制限部１１０で特定文字書式部分７０２及び特定文字書式情報部分７０４の消去が行なわれ、図１９（ｂ）に示すように、記録用紙７１０に非特定文字書式部分７０１は出力されるが、特定文字書式部分７０２及び特定文字書式情報部分７０４は出力が中止される。また、認証が成功した場合は、上述したように文字制限部１１０は画像データをそのまま転送し、図１９（ｃ）に示すように、記録用紙７２０には、特定文字書式部分７０２及び非特定文字書式部分７０１の両方と、特定文字書式情報部分７０４とが出力される。なお、図１０に示したように、特定文字書式部分７０２は、所定記号に変換することも可能である。
【０１２１】
また、特定文字書式情報は、文字制限部１１０又は画像処理部１３０で付加し直すことも可能である。付加し直すことにより、特定文字書式情報のコピーによる劣化を防止することができる。図２０は、画像処理装置５０による画像形成手順の例を示すフローチャートである。図２０に示す画像形成手順は、図１８に示す画像形成手順とほぼ同じであるが、特定文字書式がある場合（Ｓ１２：ＹＥＳ）、文字制限部１１０により、特定文字書式情報を消去している（Ｓ１３）。また、認証が完了した場合（Ｓ１８：ＹＥＳ）、特定文字書式情報を文字制限部１１０又は画像処理部１３０で付加し直している（Ｓ２５）。なお、認証に失敗した場合（Ｓ１８：ＮＯ）、文字制限部１１０は、特定文字書式情報は消去（Ｓ１３）されているため、特定文字書式部分の消去を行う（Ｓ２２）。
【０１２２】
受付けた画像データに関する特定文字書式を取得し、取得した特定文字書式で記載された機密部分又は重要部分のコピー又は印刷を制限することにより、セキュリティを向上させることが可能である。また、画像データから取得した特定文字書式の出力を制限するため、画像データ毎に特定文字書式を変更することができ、機密部分又は重要部分に使用する文字書式を自由に設定することが可能であり、ユーザの文書作成の利便性が向上する。
【０１２３】
制御部１２０は、特定文字書式部分を送信する場合、特定文字書式部分又は画像データ全体を暗号化することも可能である。外部の通信回線へ送信する機密部分（特定文字書式部分）を暗号化することにより、送信途中の機密部分の漏洩を防止して、セキュリティを高めることが可能である。暗号化は、特定文字書式部分を送信する場合に、予め決められた暗号方式及び鍵を用いて特定文字書式部分又は画像データ全体を暗号化して、受信側のファックス機器で復号することも可能であるが、受信側の特定ユーザのみが復号できるようにすることも可能である。
【０１２４】
また、第２又は第３の実施の形態（図８又は図９）と同様に、文字制限部１１０の代わりに文字分離部２１０を設け、第１画像メモリ２８０及び第２画像メモリ２８２（または、ＲＡＭ３８２及びハードディスク３８０）を文字分離部２１０及び画像処理部１３０間に設け、文字分離部２１０で分離された特定文字書式部分及び非特定文字書式部分を画像処理部１３０で合成して出力したり、非特定文字書式部のみを出力することも可能である。
【０１２５】
（第８の実施の形態）
図２１は、上述した画像処理装置５０に接続された本発明に係るコンピュータ２２の構成例を示すブロック図である。コンピュータ２２は、第６の実施の形態（図１５）と同様に、ＣＰＵ３１と、ＲＡＭ３２と、ハードディスク３３と、入力部３４と、表示部３５と、通信部３６と、外部記憶装置３７とを備える。
【０１２６】
ハードディスク３３には、ユーザが独自に設定した重要文字書式に関する重要部分設定が記憶されている。また、ハードディスク３３には、重要文書フラグが付加された文書データが記憶されている。重要部分設定は、例えば入力部（受付手段）３４から受付けることが可能である。ＣＰＵ３１は、ハードディスク３３に記憶されている文書データの印刷指示を入力部３４から受付けた場合、ハードディスク３３に記憶されている重要部分設定に基づいて、印刷する文書データ内の重要文字書式を特定文字書式とした特定文字書式情報を画像データに付加する手段（付加手段）として動作し、付加が済んだ画像データを通信部（送信手段）３６から画像処理装置５０へ送信する。
【０１２７】
例えば特定文字書式に対応するバーコード（特定文字書式情報）を画像データに付加したり、特定文字書式に対応するパターン（特定文字書式情報）を人間の目が認識し難いように画像データに付加したり、特定文字書式に対応して画像データを僅かに加工することが可能である。また、特定文字書式情報は、確実に認識できるように、画像データの端部など、固定位置に付加することが可能である。ＣＰＵ３１は、例えば予めハードディスク３３に記憶されているバーコードと特定文字書式との対応関係に基づいて、特定文字書式に対応するバーコードを画像データに付加することが可能である。また、例えば予めハードディスク３３に記憶されているパターン又は加工の種類と特定文字書式との対応関係に基づいて、特定文字書式に対応するパターンを付加したり、特定文字書式に対応する加工を行うことが可能である。
【０１２８】
ＣＤ−ＲＯＭ等の記録媒体３９に記録されたコンピュータプログラムを外部記憶装置３７で読出してハードディスク３３に記憶するなどし、前記コンピュータプログラムをＲＡＭ３２に読出してＣＰＵ３１に実行させることにより、コンピュータ２２を上述した各手段として動作させることが可能である。また、通信部３６で他の装置からコンピュータプログラムを受付けてハードディスク３３に記憶することも可能である。
【０１２９】
図２２は、文書データの印刷の例を示す図である。例えば、文書データ８００の重要部分８０２にアンダーライン（重要文字書式）が引かれている場合、コンピュータ２２のＣＰＵ３１により、重要部分設定に基づいて、重要文字書式（アンダーライン）を特定文字書式とした特定文字書式情報８０６を画像データ８００に付加する。ＣＰＵ３１によって特定文字書式情報８０６が付加された画像データ８１０が、通信部３６から画像処理装置５０に送信される。画像処理装置５０では、上述したように、送信された画像データから特定文字書式情報を取得し、例えば認証が失敗した場合、特定文字書式部分８０２及び特定文字書式情報部分８０６を消去した画像データを印刷する。
【０１３０】
ハードディスク３３に記憶されている重要部分設定は、例えば入力部３４からの操作に応じて、ＣＰＵ３１で更新することが可能である。文書データをコンピュータ２２で作成するユーザは、画像処理装置５０に送信する画像データの重要部分に使用している任意の重要文字書式を特定文字書式とすることができ、意図した文字書式で印刷することが可能となり、文書作成の自由度が高まり、利便性が向上する。
（第９の実施の形態）
【０１３１】
上述した第８の実施の形態において、重要文字書式（特定文字書式）は、複数の文字書式を設定することが可能である。この場合、複数の重要文字書式の何れかを使用すればよいため、ユーザの利便性が向上する。また、図１２に示したように、複数の重要文字書式の夫々に重要度レベルを設定し、重要度レベルに応じた重要文字書式（特定文字書式）を使用することも可能である。例えば、文書中の赤色部分に重要度レベル３を設定することにより、前記赤色部分に傍点の特定文字書式を設定することが可能である。この場合、ＣＰＵ（変換手段）３１により、前記赤色部分の文字書式を傍点に変換し、傍点を特定文字書式に設定する。このような文字書式の変換に関する変換設定は図２１に示したコンピュータ２２のハードディスク３３に記憶されている。
【０１３２】
図２３は、文字書式の変換を伴う特定文字書式情報の付加手順の例を示すフローチャートである。コンピュータ２２のＣＰＵ３１は、ハードディスク３３に記憶されている文書データに対する印刷指示を入力部３４から受付けた場合、ハードディスク３３に記憶されている印刷対象の文書データを読出し、読出した文書データの重要文書フラグを確認する。重要文書でない（重要フラグ＝“０”）場合（Ｓ５０：ＮＯ）、ＣＰＵ３１は文書データをページ記述言語に変換（Ｓ６０）してＲＡＭ３２又はハードディスク３３に記憶し、通信部３６から画像処理装置５０へ送信する（Ｓ６２）。
【０１３３】
重要文書（重要フラグ＝“１”）の場合（Ｓ５０：ＹＥＳ）、重要部分のチェック処理をＣＰＵ３１で実行する（Ｓ５２）。ＣＰＵ３１は、文書データ内の各部（各オブジェクト）に対し、重要部分設定に基づいて重要部分であるか否かを判定する。例えば、重要部分設定に重要部分として赤色が設定されている場合は、文字書式に赤色が含まれているか否かに基づいて重要部分であるか否かをＣＰＵ３１で判定する。
【０１３４】
重要部分のチェック処理後、ＣＰＵ３１は、変換設定に基づいて、文書データ内の文字書式の変換処理を行う（Ｓ５４）。図２４は、文書データ内の文字書式の変換処理手順の例を示すフローチャートである。ＣＰＵ３１は、文書データ内の各部（各オブジェクト）に対し、重要部分設定に基づいて重要部分であるか否かを判定する。重要部分である場合（Ｓ７０：ＹＥＳ）、ＣＰＵ３１により、変換設定に基づいて文字書式の変換が必要であるか否かを判定し、必要な場合（Ｓ７２：ＹＥＳ）は変換設定に基づく文字書式の変換を行う（Ｓ７４）。例えば、変換設定に基づいて赤色部分（重要部分）に傍点（特定文字書式）を付加することが可能である。
【０１３５】
重要部分でない場合（Ｓ７０：ＮＯ）は、ＣＰＵ３１により、変換設定に基づいて特定文字書式であるか否かを判定し、特定文字書式の場合（Ｓ７６：ＹＥＳ）は、変換設定に基づいて文字書式の変換を行う（Ｓ７８）。例えば、傍点（特定文字書式）が付加された文字部分（重要部分ではない）を変換設定に基づいて太字に変換することが可能である。文字書式の変換が必要でない場合（Ｓ７２：ＮＯ）又は特定文字書式でない場合（Ｓ７６：ＮＯ）は処理を終了する。文書データ内の各部（各オブジェクト）に対して、図２４に示した処理を行う。
【０１３６】
文書データ内の文字書式の変換処理（図２３のＳ５４）の終了後、ＣＰＵ３１は文書データをページ記述言語に変換（Ｓ５６）してＲＡＭ３２又はハードディスク３３に記憶し、変換設定に基づく特定文字書式に関する特定文字書式情報を付加し（Ｓ５８）、通信部３６から画像処理装置５０へ送信する（Ｓ６２）。コンピュータ２２から送信された画像データ（文書データ）を受付けた画像処理装置５０は、前記画像データの画像形成（印刷）を行う。
【０１３７】
上述した実施の形態において、画像データに特定文字書式情報を付加（図２３のＳ５８）すると共に、ＣＰＵ３１により、画像データに認証情報を付加することも可能である。特定文字書式情報と同様にして認証情報を画像データに付加することにより、画像処理装置５０の制御部１２０で認証情報を特定文字書式情報と同様にして抽出し、認証を行うことが可能である。認証情報を画像データに付加することにより、パスワードなどを入力する手間がなくなり、ユーザの利便性が向上する。また、認証情報は、例えば重要度（機密度）に応じて複数付加することも可能である。
【０１３８】
また、重要文書（機密文書）でない場合、コンピュータ２２において、文書データをページ記述言語に変換（図２３のＳ６０）すると共に、ＣＰＵ３１により、特定文字書式が無いことを示す特定文字書式情報を付加することも可能である。また、画像処理装置５０において、特定文字書式が無い場合（図１８のＳ１２：ＮＯ）又は特定文字書式を消去（図１８のＳ２２）した場合、文字制限部１１０又は画像処理部１３０により、特定文字書式が無いことを示す特定文字書式情報を画像データに付加することも可能である。特定文字書式が無いことを示す特定文字書式情報を画像データに付加することにより、特定文字書式が無いことを明示できる。例えば特定文字書式が指定されているにもかかわらず、特定文字書式情報が抽出できない場合に、特定文字書式が指定されていないと誤認識されることを防止できる。
【０１３９】
上述した第７、第８又は第９の実施の形態においては、コンピュータ２２で特定文字書式情報を画像データに付加したが、特定文字書式情報を付加せずに、画像データと同様に画像処理装置５０へ送信することも可能である。
【０１４０】
文書データをコンピュータ２２で作成するユーザは、送信する画像データの重要部分の文字書式を自由に設定し、設定した文字書式（特定文字書式）を画像処理装置５０に送信することが可能であるため、意図した文字書式で印刷することが可能となり、文書作成の自由度が高まり、利便性が向上する。また、例えば重要文字書式を特定文字書式に変換することにより、通常使用される重要文字書式が非特定文字書式となることを防止したり、非重要部分の特定文字書式を非特定文字書式に変換することにより、非重要部分が誤って特定文字書式となることを防止することが可能である。
【図面の簡単な説明】
【０１４１】
【図１】本発明に係る画像処理装置の構成を示すブロック図である。
【図２】画像処理装置が接続された通信ネットワークを示すブロック図である。
【図３】画像処理装置の主に画像読取及び画像形成に関係する部分の詳細な構成を示す図である。
【図４】画像処理装置による画像形成手順の例を示すフローチャートである。
【図５】（ａ）は原稿の例を示す図であり、（ｂ）及び（ｃ）は記録用紙の例を示す図である。
【図６】画像処理装置による画像形成手順の他の例を示すフローチャートである。
【図７】画像処理装置による画像形成手順の更に他の例を示すフローチャートである。
【図８】本発明に係る画像処理装置の構成を示すブロック図である。
【図９】ＲＡＭに画像データ（特定文字書式部分及び被特定文字書式部分の両方）を記憶する画像処理装置の構成を示すブロック図である。
【図１０】印刷された記録用紙の例を示す図である。
【図１１】送信先に応じて特定文字書式部分の出力を中止する画像処理装置の例を示すブロック図である。
【図１２】機密レベルが設定された特定文字書式情報の例を示す図である。
【図１３】本発明の画像処理装置に接続されたコンピュータの構成例を示すブロック図である。
【図１４】文書データの印刷の例を示す図である。
【図１５】本発明の画像処理装置に接続されたコンピュータの構成例を示すブロック図である。
【図１６】文字書式変換の手順を示すフローチャートである。
【図１７】本発明に係る画像処理装置の構成を示すブロック図である。
【図１８】画像処理装置による画像形成手順の例を示すフローチャートである。
【図１９】（ａ）は原稿の例を示す図であり、（ｂ）及び（ｃ）は印刷済みの記録用紙の例を示す図である。
【図２０】画像処理装置による画像形成手順の例を示すフローチャートである。
【図２１】本発明に係る画像処理装置に接続されたコンピュータの構成例を示すブロック図である。
【図２２】文書データの印刷の例を示す図である。
【図２３】特定文字書式情報の付加手順の例を示すフローチャートである。
【図２４】文書データ内の文字書式の変換処理手順の例を示すフローチャートである。
【符号の説明】
【０１４２】
１０、２０、３０、４０、５０  画像処理装置
２２  コンピュータ
２６  ネットワーク
３１  ＣＰＵ
１００  画像読取部
１１０  文字制限部
１２０、２２０、４２０  制御部
１３０、２３０  画像処理部
１４０  画像形成部
１５０  通信部
１６０  操作部
１７０、４７０  記憶部
１８０  画像メモリ
２１０  文字分離部
２８０  第１画像メモリ
２８２  第２画像メモリ
２８４  暗号化部
２８６  復号部
３８０  ハードディスク
３８２  ＲＡＭ
【図１】
2005136818.tif 000003
【図２】
2005136818.tif 000004
【図３】
2005136818.tif 000005
【図４】
2005136818.tif 000006
【図５】
2005136818.tif 000007
【図６】
2005136818.tif 000008
【図７】
2005136818.tif 000009
【図８】
2005136818.tif 000010
【図９】
2005136818.tif 000011
【図１０】
2005136818.tif 000012
【図１１】
2005136818.tif 000013
【図１２】
2005136818.tif 000014
【図１３】
2005136818.tif 000015
【図１４】
2005136818.tif 000016
【図１５】
2005136818.tif 000017
【図１６】
2005136818.tif 000018
【図１７】
2005136818.tif 000019
【図１８】
2005136818.tif 000020
【図１９】
2005136818.tif 000021
【図２０】
2005136818.tif 000022
【図２１】
2005136818.tif 000023
【図２２】
2005136818.tif 000024
【図２３】
2005136818.tif 000025
【図２４】
2005136818.tif 000026